(57)【要約】【課題】従来技術においては、例えば、エレベータのリニューアルにおける工期短縮等の点でさらなる改善の余地がある。【解決手段】実施形態のエレベータリニューアル方法は、エレベータの乗りかごと当該乗りかごのつり合いおもりとに接続されているメインロープのローピング方式の変更時に、変更前のメインロープが結合されていた既設の前記乗りかごのヒッチ部のロープ孔を介して、変更後のメインロープが掛けられる新設シーブを前記乗りかごに締結する工程を含むことを特徴とする。【選択図】図１３
2012176825.tif 000002
【特許請求の範囲】
【請求項１】
エレベータの乗りかごと当該乗りかごのつり合いおもりとに接続されているメインロープのローピング方式の変更時に、変更前のメインロープが結合されていた既設の前記乗りかごのヒッチ部のロープ孔を介して、変更後のメインロープが掛けられる新設シーブを前記乗りかごに締結する工程を含むことを特徴とする、
エレベータリニューアル方法。
【請求項２】
変更前のメインロープが結合されていた既設の前記つり合いおもりのヒッチ部のロープ孔を介して、変更後のメインロープが掛けられる新設シーブを前記つり合いおもりに締結する工程を含む、
請求項１に記載のエレベータリニューアル方法。
【請求項３】
前記新設シーブは、前記ヒッチ部を支持する既設の梁に対して水平方向に沿って傾いて設けられる、
請求項１又は請求項２に記載のエレベータリニューアル方法。
【請求項４】
前記新設シーブは、前記ヒッチ部を支持する既設の梁の鉛直方向下側の面に設けられる、
請求項１乃至請求項３のいずれか１項に記載のエレベータリニューアル方法。
【請求項５】
前記メインロープを巻き上げる既設の巻上機を相対的に容量が小さい新設の巻上機に交換すると共に、前記メインロープのローピング方式として、前記既設の巻上機に対応した１：１ローピング方式から前記新設の巻上機に対応した２：１ローピング方式へと変更する、
請求項１乃至請求項４のいずれか１項に記載のエレベータリニューアル方法。
【請求項６】
前記新設シーブは、締結孔を有するブラケットによってユニット化される、
請求項１乃至請求項５のいずれか１項に記載のエレベータリニューアル方法。
【発明の詳細な説明】
【技術分野】
【０００１】
本発明の実施形態は、エレベータリニューアル方法に関する。
【背景技術】
【０００２】
従来、エレベータは、昇降路内を乗りかごが移動することにより、乗りかごを任意の階床に移動させるが、このようなエレベータでは種々の要求に応じて様々なリニューアルが行われることが知られている。
【先行技術文献】
【特許文献】
【０００３】
【特許文献１】特開２００４−１９６４６８号公報
【発明の概要】
【発明が解決しようとする課題】
【０００４】
ところで、従来技術においては、例えば、エレベータのリニューアルにおける工期短縮等の点でさらなる改善の余地がある。
【課題を解決するための手段】
【０００５】
実施形態のエレベータリニューアル方法は、エレベータの乗りかごと当該乗りかごのつり合いおもりとに接続されているメインロープのローピング方式の変更時に、変更前のメインロープが結合されていた既設の前記乗りかごのヒッチ部のロープ孔を介して、変更後のメインロープが掛けられる新設シーブを前記乗りかごに締結する工程を含むことを特徴とする。
【図面の簡単な説明】
【０００６】
【図１】図１は、実施形態に係るエレベータのリニューアル前の概略構成例を示す模式的構成図である。
【図２】図２は、実施形態に係るエレベータのリニューアル後の概略構成例を示す模式的構成図である。
【図３】図３は、実施形態に係る既設かご枠の正面図である。
【図４】図４は、実施形態に係る既設かご枠の平面図である。
【図５】図５は、実施形態に係る既設Ｃ／Ｗ枠の正面図である。
【図６】図６は、実施形態に係る既設Ｃ／Ｗ枠の平面図である。
【図７】図７は、実施形態に係る新設シーブユニットの側面図である。
【図８】図８は、実施形態に係る新設シーブユニットの平面図である。
【図９】図９は、実施形態に係る新設かごシーブの取り付けを説明する既設かご枠の正面図である。
【図１０】図１０は、実施形態に係る新設かごシーブの取り付けを説明する既設かご枠の平面図である。
【図１１】図１１は、実施形態に係る新設おもりシーブの取り付けを説明する既設Ｃ／Ｗ枠の正面図である。
【図１２】図１２は、実施形態に係る新設おもりシーブの取り付けを説明する既設Ｃ／Ｗ枠の平面図である。
【図１３】図１３は、実施形態に係るエレベータリニューアル方法を説明するフローチャートである。
【図１４】図１４は、変形例に係る新設かごシーブの取り付けを説明する既設かご枠の平面図である。
【図１５】図１５は、変形例に係る新設かごシーブの取り付けを説明する既設かご枠の部分正面図である。
【図１６】図１６は、変形例に係る新設かごシーブの取り付けを説明する既設かご枠の平面図である。
【図１７】図１７は、変形例に係る新設かごシーブの取り付けを説明する既設かご枠の部分正面図である。
【図１８】図１８は、変形例に係る新設かごシーブの取り付けを説明する既設かご枠の平面図である。
【発明を実施するための形態】
【０００７】
［実施形態］
図１は、実施形態に係るエレベータのリニューアル前の概略構成例を示す模式的構成図、図２は、実施形態に係るエレベータのリニューアル後の概略構成例を示す模式的構成図、図３は、実施形態に係る既設かご枠の正面図、図４は、実施形態に係る既設かご枠の平面図、図５は、実施形態に係る既設Ｃ／Ｗ枠の正面図、図６は、実施形態に係る既設Ｃ／Ｗ枠の平面図、図７は、実施形態に係る新設シーブユニットの側面図、図８は、実施形態に係る新設シーブユニットの平面図、図９は、実施形態に係る新設かごシーブの取り付けを説明する既設かご枠の正面図、図１０は、実施形態に係る新設かごシーブの取り付けを説明する既設かご枠の平面図、図１１は、実施形態に係る新設おもりシーブの取り付けを説明する既設Ｃ／Ｗ枠の正面図、図１２は、実施形態に係る新設おもりシーブの取り付けを説明する既設Ｃ／Ｗ枠の平面図、図１３は、実施形態に係るエレベータリニューアル方法を説明するフローチャートである。
【０００８】
本実施形態のエレベータリニューアル方法を適用するリニューアル前のエレベータ１は、図１に示すように、昇降路２を昇降可能な既設乗りかご３とつり合おもりとしての既設カウンタウェイト４とをメインロープ５で接続したいわゆるつるべ式のエレベータである。
【０００９】
本実施形態のエレベータリニューアル方法は、既設乗りかご３、既設カウンタウェイト４、ホール関連既設品等を利用しつつ、エレベータ１の駆動源として使用されている既設巻上機６、制御盤（不図示）等を新設品に交換するいわゆる制御リニューアルに関する方法である。
【００１０】
より詳細には、本実施形態のエレベータリニューアル方法では、図１に示す機械室７に設置されている既設のウォームギヤ式の既設巻上機６を使用してエレベータ１を駆動する形態に代えて、図２に示すように、動力伝達用の減速歯車機構を備えずより小型な新設のコンパクトギヤレス式の新設巻上機８を使用してエレベータ１を駆動する形態にリニューアルする。そして、このエレベータリニューアル方法では、図１に示すリニューアル前の既設巻上機６を図２に示すリニューアル後の新設巻上機８に交換すると共に、これに応じて、メインロープ５のローピング方式、すなわち、メインロープ５の取り回し経路を変更する。
【００１１】
本実施形態のエレベータリニューアル方法では、リニューアル後の新設巻上機８がリニューアル前の既設巻上機６よりモータ容量が相対的に小さくなることから、既設乗りかご３及び既設カウンタウェイト４をメインロープ５でつり下げるローピング方式として、既設巻上機６に対応した１：１ローピング方式から新設巻上機８に対応した２：１ローピング方式へと変更する。
【００１２】
この際、本実施形態のエレベータリニューアル方法では、図２に示すように、既設の巻上機６で駆動していた既設乗りかご３及び既設カウンタウェイト４に対して、新設シーブとしての新設かごシーブ９及び新設おもりシーブ１０をそれぞれ取り付ける改修を行う。そして、本実施形態のエレベータリニューアル方法では、既設のメインロープ（以下、「既設メインロープ」という場合がある。）５を新設のメインロープ（以下、「新設メインロープ」という場合がある。）１１に変更すると共に、新設メインロープ１１をこの新設かごシーブ９、新設おもりシーブ１０等に掛けることで、メインロープ１１の取り回しを変更し、既設乗りかご３及び既設カウンタウェイト４を２：１ローピング方式によりつり下げるようにリニューアルする。
【００１３】
そして、本実施形態のエレベータリニューアル方法では、エレベータ１の既設乗りかご３と既設カウンタウェイト４とに接続されているメインロープ５のローピング方式の変更時に、変更前の既設メインロープ５が結合されていた既設乗りかご３のヒッチ部１２のロープ孔１３（図４参照）を介して、変更後の新設メインロープ１１が掛けられる新設かごシーブ９を既設乗りかご３に締結する工程を含むことで、より短い工期で能率よくエレベータ１をリニューアルする。同様に、本実施形態のエレベータリニューアル方法では、変更前の既設メインロープ５が結合されていた既設カウンタウェイト４のヒッチ部１４のロープ孔１５（図６参照）を介して、変更後の新設メインロープ１１が掛けられる新設おもりシーブ１０を既設カウンタウェイト４に締結する工程を含む。
【００１４】
ここで、既設巻上機６は、図１に示すように、減速歯車機構を有する比較的に大型の巻上機であり、昇降路２の上部の機械室７に設置される。機械室７は、床材１６を備え、この床材１６の上に複数の梁材１７を組み合わせてなるマシンベッド１８が設けられ、このマシンベッド１８の上に既設巻上機６が据え付けられている。
【００１５】
既設巻上機６は、回転駆動されるメインシーブ２０を備え、またマシンベッド１８の側部にはそらせシーブ２１が回転自在に取り付けられている。既設メインロープ５は、既設巻上機６のメインシーブ２０に巻き掛けられ、一方の端部側が直接昇降路２内に引き落とされ、他方の端部側がそらせシーブ２１を通して昇降路２内に引き落とされている。そして、既設メインロープ５は、一方の端部にヒッチ部１２を介して既設乗りかご３が、他方の端部にヒッチ部１４を介して既設カウンタウェイト４がそれぞれ連結され、これら既設乗りかご３及び既設カウンタウェイト４は、既設メインロープ５による１：１のローピング方式で昇降路２内につり下げられている。
【００１６】
ヒッチ部１２、１４は、それぞれ既設メインロープ５の端部を既設乗りかご３、既設カウンタウェイト４に結合するためのロープ支持材である。図１、図３、図４に示すように、既設乗りかご３は、上梁２２、下梁２３等からなる既設かご枠２４を含んで構成され、ヒッチ部１２は、この既設かご枠２４の上梁２２に固定される。ヒッチ部１２は、複数（ここでは３つ）のロープ孔１３が形成されており、この複数のロープ孔１３にそれぞれ既設メインロープ５が挿入され端部が係止されることで、既設メインロープ５を既設乗りかご３の上部に結合することができる。同様に、図５、図６に示すように、既設カウンタウェイト４は、上梁２５、下梁２６等からなる既設Ｃ／Ｗ枠２７を含んで構成され、ヒッチ部１４は、この既設Ｃ／Ｗ枠２７の上梁２５に固定される。ヒッチ部１４は、複数（ここでは３つ）のロープ孔１５が形成されており、この複数のロープ孔１５にそれぞれ既設メインロープ５が挿入され端部が係止されることで、既設メインロープ５を既設カウンタウェイト４の上部に結合することができる。
【００１７】
エレベータ１の運転時には、既設巻上機６が駆動してメインシーブ２０が回転し、この回転で既設メインロープ５がその長さ方向に走行して既設乗りかご３、既設カウンタウェイト４が昇降路２内で互いに逆方向に昇降移動する。
【００１８】
このエレベータ１の駆動系統のリニューアルにあたっては、上述したように既設巻上機６に代えて、図２に示すように、新設巻上機８を用いる。
【００１９】
新設巻上機８は、上述したように、動力伝達用の減速歯車機構を備えずより小型なコンパクトギヤレス式の巻上機であり、例えば、エレベータ１をはじめとする各種の機器の駆動源として用いられている周知のモータ２８の回転軸２９に直接的に、回転駆動されるメインシーブ３０を取り付けている。この新設巻上機８のメインシーブ３０は、モータ２８の回転軸２９に直付けされ、その動力が減速歯車機構を経ることなく直接伝達されることから、このメインシーブ３０に生じる駆動トルクは、相対的に小さなトルクになる傾向にある。このため、既設乗りかご３、既設カウンタウェイト４に新設かごシーブ９、新設おもりシーブ１０を設けて、既設乗りかご３、既設カウンタウェイト４を２：１のローピング方式で新設メインロープ１１につり下げる。なお、図２に示すリニューアル後のエレベータ１では、メインシーブ３０におけるトラクション面積（ロープ接触面積）を十分に確保するため、メインシーブ３０とそらせシーブ２１との間に、もう１つ別のそらせシーブ３１を設けている。
【００２０】
新設かごシーブ９、新設おもりシーブ１０は、例えば、図７、図８に例示するように、ほぼ同様の構成であり、複数の締結孔３２を有するブラケット３３によってユニット化される。すなわち、新設かごシーブ９、新設おもりシーブ１０は、シーブ本体を支持するブラケット３３と、シーブ本体の回転軸となるシャフト３４とによって、新設シーブユニット３５、３６としてユニット化されている。新設シーブユニット３５、３６は、各ブラケット３３においてそれぞれヒッチ部１２、１４のロープ孔１３、１５と対応する位置に複数（ここでは３つ）の締結孔３２が形成されると共に、各シャフト３４が新設かごシーブ９、新設おもりシーブ１０を各ブラケット３３に回転可能に支持する。
【００２１】
そして、新設かごシーブ９は、ヒッチ部１２の複数のロープ孔１３（図４参照）とブラケット３３の複数の締結孔３２（図８参照）とが互いに対向するように配置され、これらロープ孔１３と締結孔３２とにボルトが挿入されナットで締結される。これにより、新設かごシーブ９は、図９、図１０に示すように、新設シーブユニット３５全体で、ヒッチ部１２のロープ孔１３を介して既設乗りかご３に締結される。同様に、新設おもりシーブ１０は、ヒッチ部１４の複数のロープ孔１５（図６参照）とブラケット３３の複数の締結孔３２（図８参照）とが互いに対向するように配置され、これらロープ孔１５と締結孔３２とにボルトが挿入されナットで締結される。これにより、新設おもりシーブ１０は、図１１、図１２に示すように、新設シーブユニット３６全体で、ヒッチ部１４のロープ孔１５を介して既設カウンタウェイト４に締結される。
【００２２】
ここでは、新設シーブユニット３５、３６は、新設かごシーブ９、新設おもりシーブ１０が上梁２２、２５に対してほぼ平行になるように、すなわち、シャフト３４の中心軸線が上梁２２、２５の中心軸線に対してほぼ垂直となるように、各ブラケット３３の締結孔３２の位置が設定されている。したがって、新設かごシーブ９、新設おもりシーブ１０は、新設シーブユニット３５、３６が上梁２２、２５に締結された状態で、上梁２２、２５に対してほぼ平行となり、すなわち、シャフト３４の中心軸線が上梁２２、２５の中心軸線に対してほぼ垂直となる。
【００２３】
新設メインロープ１１は、新設かごシーブ９、新設おもりシーブ１０が既設乗りかご３、既設カウンタウェイト４に締結、固定された後に、図２に示すように、新設巻上機８のメインシーブ３０に巻き掛けられ、一方の端部側が直接昇降路２内に引き落とされ、他方の端部側がそらせシーブ３１、２１を通して昇降路２内に引き落とされる。そして、新設メインロープ１１は、一方の端部が新設かごシーブ９を通して機械室７のヒッチ部３７に連結して固定され、他方の端部が新設おもりシーブ１０を通して機械室７のヒッチ部３８に連結して固定される。これにより、既設乗りかご３及び既設カウンタウェイト４は、新設メインロープ１１による２：１のローピング方式で昇降路２内につり下げられることとなる。
【００２４】
このように既設乗りかご３と既設カウンタウェイト４とを２：１ローピング方式でつり下げることにより、１：１ローピング方式の場合のほぼ１／２のトルクで既設乗りかご３と既設カウンタウェイト４とを駆動することができる。したがって、新設巻上機８が相対的に小さな駆動トルクしか発生できないものであってもそれに十分に対応することができる。
【００２５】
次に、図１３のフローチャートを参照して本実施形態に係るエレベータリニューアル方法を説明する。
【００２６】
まず、作業員は、かご・Ｃ／Ｗ固定工程として、エレベータ１を操作して、既設乗りかご３を昇降路２内の最上部に、既設カウンタウェイト４を昇降路２内の最下部に移動させ、既設乗りかご３を、チャーン等を介して昇降路２の上部フック（不図示）にくくりつけて、既設乗りかご３、既設カウンタウェイト４を所定の位置に固定する（ＳＴ１）。
【００２７】
次に、作業員は、既設ロープ取外工程として、既設巻上機６のメインシーブ２０等に巻き掛けてある既設メインロープ５を取り外し撤去する（ＳＴ２）。
【００２８】
次に、作業員は、巻上機交換工程として、既設巻上機６を新設巻上機８に交換する（ＳＴ３）。なお、この巻上機交換工程の際には、例えば、既設巻上機６はそのまま残し、その既設巻上機６の脇のマシンベッド１８の上の空きスペースにリニューアル用の新設巻上機８を据え付けて、リニューアル終了後に既設巻上機６を撤去するようにすることで、さらなるリニューアルの工期短縮を図ることも可能となる。
【００２９】
次に、作業員は、新設シーブ設置工程として、既設乗りかご３、既設カウンタウェイト４のヒッチ部１２、１４のロープ孔１３、１５を介して、新設かごシーブ９、新設おもりシーブ１０を既設乗りかご３、既設カウンタウェイト４にそれぞれ締結する（ＳＴ４）。この場合、作業員は、ヒッチ部１２、１４のロープ孔１３、１５と、新設シーブユニット３５、３６のブラケット３３の締結孔３２とにボルトを挿入しナット締結することで、新設かごシーブ９、新設おもりシーブ１０を新設シーブユニット３５、３６ごと既設乗りかご３、既設カウンタウェイト４の上梁２２、２５に締結する。
【００３０】
次に、作業員は、新設ロープ掛け工程として、新設メインロープ１１を新設巻上機８のメインシーブ３０、そらせシーブ３１、２１、新設かごシーブ９、新設おもりシーブ１０等に巻き掛けると共に、両端部を機械室７のヒッチ部３７、３８に連結して固定し、ローピング方式を２：１ローピング方式へと変更し（ＳＴ５）、本実施形態のエレベータリニューアル方法を終了する。
【００３１】
以上で説明したエレベータリニューアル方法では、エレベータ１の既設乗りかご３とこの既設乗りかご３の既設カウンタウェイト４とに接続されている既設メインロープ５のローピング方式の変更時に、変更前の既設メインロープ５が結合されていた既設乗りかご３のヒッチ部１２のロープ孔１３を介して、変更後の新設メインロープ１１が掛けられる新設かごシーブ９を既設乗りかご３に締結する工程を含む。また、このエレベータリニューアル方法では、変更前の既設メインロープ５が結合されていた既設カウンタウェイト４のヒッチ部１４のロープ孔１５を介して、変更後の新設メインロープ１１が掛けられる新設おもりシーブ１０を既設カウンタウェイト４に締結する工程を含む。
【００３２】
したがって、このエレベータリニューアル方法を用いてエレベータ１をリニューアルすることによって、例えば、既設乗りかご３、既設カウンタウェイト４に対して孔あけ加工等の現場加工を施すことなく、また、簡単な構成で新設かごシーブ９、新設おもりシーブ１０を容易に既設乗りかご３、既設カウンタウェイト４に取り付けて、ローピング方式を変更することができる。この結果、このエレベータリニューアル方法では、既設品を有効利用し、短い工期で能率よくエレベータ１をリニューアルすることができ、また、低コストで環境対応として廃棄品の削減を行ってエレベータ１をリニューアルすることができる。
【００３３】
なお、上述した実施形態に係るエレベータリニューアル方法は、上述した実施形態に限定されず、特許請求の範囲に記載された範囲で種々の変更が可能である。
【００３４】
以上で説明した新設かごシーブ９、新設おもりシーブ１０は、ヒッチ部１２、１４を支持する既設の上梁２２、２５に締結された状態で、上梁２２、２５に対してほぼ平行となるものとして説明したが、上梁２２、２５に対して水平方向に沿って傾いて設けられてもよい。例えば、図１４に示す変形例に係る新設シーブユニット２３５は、新設かごシーブ９が上梁２２に対して斜めになるように、すなわち、シャフト３４の中心軸線が上梁２２の中心軸線に対して水平方向に沿って所定の傾斜角θ（０°＜θ＜９０°）を有するように、各ブラケット３３の締結孔３２の位置が設定されている。したがって、新設かごシーブ９は、上梁２２に締結された状態で、上梁２２に対して水平方向に沿って傾いて設けられ、すなわち、シャフト３４の中心軸線が上梁２２の中心軸線に対して所定の傾斜角θを有することとなる。これにより、このエレベータリニューアル方法を用いてエレベータ１をリニューアルすることによって、新設かごシーブ９、新設おもりシーブ１０を容易に既設乗りかご３、既設カウンタウェイト４に対して水平方向に沿って傾けて取り付けることができ、例えば、昇降路２内における既設乗りかご３、既設カウンタウェイト４、新設メインロープ１１等の様々なレイアウトに対応することができる。
【００３５】
また、以上で説明した新設かごシーブ９、新設おもりシーブ１０は、複数個をまとめてユニット化してもよい。例えば、図１５、１６に示す変形例に係る新設シーブユニット３３５は、複数（ここでは２つ）の新設かごシーブ９と、ブラケット３３と、複数（ここでは２つ）のシャフト３４とがユニット化される。これにより、このエレベータリニューアル方法を用いてエレベータ１をリニューアルすることによって、複数の新設かごシーブ９、新設おもりシーブ１０を容易に既設乗りかご３、既設カウンタウェイト４に取り付けることができ、例えば、昇降路２内における既設乗りかご３、既設カウンタウェイト４、新設メインロープ１１等の様々なレイアウトに対応することができる。なお、この例示でも新設シーブユニット３３５は、各新設かごシーブ９が上梁２２に対して斜めになるように、すなわち、各シャフト３４の中心軸線が上梁２２の中心軸線に対して水平方向に沿って所定の傾斜角を有するように、各ブラケット３３の締結孔３２の位置が設定されている。
【００３６】
また、以上で説明した新設かごシーブ９、新設おもりシーブ１０は、ヒッチ部１２、１４を支持する既設の上梁２２、２５の鉛直方向下側の面に設けられてもよい。例えば、図１７、１８に示す変形例に係る新設シーブユニット３３５は、ヒッチ部１２のロープ孔１３を介して上梁２２の鉛直方向下側の面に締結される。これにより、既設メインロープ５がヒッチ部１２に未だ結合されている状態でも、新設シーブユニット３３５を上梁２２の鉛直方向下側の面に設けることができ、例えば、さらなる工期短縮を図ることができる。この場合、作業員は、まず新設シーブユニット３３５を上梁２２の鉛直方向下側の面にクリップ等を利用して仮固定しておき、最終的に既設メインロープ５をはずした後で、ヒッチ部１２のロープ孔１３を介してボルト等で上梁２２の鉛直方向下側の面に新設シーブユニット３３５を締結する。また、この場合、既設乗りかご３、既設カウンタウェイト４において上梁２２、２５の上側に突出する部分を極力少なくすることができるので、昇降路２の天井の高さを抑制することができ、省スペース化することができる。また、この場合、新設シーブユニット３３５を、上梁２２、２５にて荷重を受けやすいように、この上梁２２の鉛直方向下側の面に締結することができる。
【００３７】
以上で説明した実施形態、変形例に係るエレベータリニューアル方法によれば、既設品を有効利用し、短い工期で能率よくエレベータをリニューアルすることができる。
【００３８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３９】
１    エレベータ
２    昇降路
３    既設乗りかご（乗りかご）
４    既設カウンタウェイト（つり合いおもり）
５    既設メインロープ
６    既設巻上機
７    機械室
８    新設巻上機
９    新設かごシーブ（新設シーブ）
１０    新設おもりシーブ（新設シーブ）
１１    新設メインロープ
１２、１４、３７、３８    ヒッチ部
１３、１５    ロープ孔
１６    床材
１７    梁材
１８    マシンベッド
２０、３０    メインシーブ
２１、３１    そらせシーブ
２２、２５    上梁
２３、２６    下梁
２４    既設かご枠
２７    既設Ｃ／Ｗ枠
２８    モータ
２９    回転軸
３２    締結孔
３３    ブラケット
３４    シャフト
３５、３６、２３５、３３５    新設シーブユニット
【図１】
2012176825.tif 000003
【図２】
2012176825.tif 000004
【図３】
2012176825.tif 000005
【図４】
2012176825.tif 000006
【図５】
2012176825.tif 000007
【図６】
2012176825.tif 000008
【図７】
2012176825.tif 000009
【図８】
2012176825.tif 000010
【図９】
2012176825.tif 000011
【図１０】
2012176825.tif 000012
【図１１】
2012176825.tif 000013
【図１２】
2012176825.tif 000014
【図１３】
2012176825.tif 000015
【図１４】
2012176825.tif 000016
【図１５】
2012176825.tif 000017
【図１６】
2012176825.tif 000018
【図１７】
2012176825.tif 000019
【図１８】
2012176825.tif 000020